(57)【要約】      （修正有）【課題】子機のカメラを広角カメラとし、画像処理を親機側でおこなうことで居住者が希望する画像を容易に出画することができることができるテレビインターホン装置を提供する。【解決手段】テレビインターホン装置において、玄関子機のカメラは、180°カメラ等の広角カメラであって、玄関子機は、カメラで撮像した映像を変調する変調回路を備え、居室親機は、玄関子機からの映像を復調する復調回路と、復調された映像を出画するモニタに対応した映像信号に変換する映像処理部とを備え、映像処理部は、居室親機での操作に基づいて、カメラで撮像した範囲又はカメラで撮像した範囲のうちの一部を前記モニタに出画するための映像信号に変換する。【選択図】図２
2009230318.tif 000002
【特許請求の範囲】
【請求項１】
来訪者が居住者を呼び出すための呼出ボタン、前記来訪者が前記居住者と通話するための子機マイク及び子機スピーカ、前記来訪者を撮像するカメラを有する玄関子機と、前記玄関子機からの呼び出しに応じて前記来訪者と通話するための親機マイク及び親機スピーカ、前記カメラで撮像された映像を出画するためのモニタを有する居室親機とから構成されるテレビインターホン装置であって、前記玄関子機のカメラは、180°カメラ等の広角カメラであって、前記玄関子機は、前記カメラで撮像した映像を変調する変調回路を備え、前記居室親機は、前記玄関子機からの映像を復調する復調回路と、前記復調された映像を出画するモニタに対応した映像信号に変換する映像処理部とを備え、前記映像処理部は、前記居室親機での操作に基づいて、前記カメラで撮像した範囲又は前記カメラで撮像した範囲のうちの一部を前記モニタに出画するための映像信号に変換することを特徴とするテレビインターホン装置。    
【請求項２】
前記居室親機は、モニタボタンを備え、前記モニタボタンが操作された場合、前記映像処理部は、前記カメラで撮像した範囲の映像を出画することを特徴とする請求項１記載のテレビインターホン装置。    
【請求項３】
前記居室親機は、モニタボタン及び画像切替ボタンを備え、映像処理部は、前記呼出ボタンが操作時及び前記モニタボタンの操作時に前記カメラからの映像を出画する場合は、前記カメラで撮像した範囲のうちの一部を前記モニタに出画するための映像信号に変換し、前記画像切替ボタンの操作時には前記カメラで撮像した範囲を前記モニタに出画するための映像信号に変換しことを特徴とする請求項１記載のテレビインターホン装置。    
【請求項４】
前記モニタは、QVGA仕様であり、前記映像処理部は、前記カメラで撮像した映像をVGA仕様映像信号に変換し、前記カメラで撮像した範囲全てを前記モニタに出画する場合は、前記VGA仕様映像信号をQVGA仕様映像信号にサイズ変換し、前記カメラで撮像した範囲のうちの一部を前記モニタに出画する場合は、前記VGA仕様映像のうち１／４サイズを切り出してQVGA仕様映像信号することを特徴とする請求項１乃至請求項３何れか１項記載のテレビインターホン装置。
【発明の詳細な説明】
【技術分野】
【０００１】
本発明はテレビインターホン装置に係り、特に、玄関周辺にいる不審者を容易に発見することができるテレビインターホン装置に関する。
【背景技術】
【０００２】
従来のテレビインターホン装置は、玄関子機のカメラで撮像した映像を室内の居室親機で出画させて来訪者を確認することができ、不審者であると判断した場合には、玄関子機に備えられたフラッシュランプを点灯させることにより不審者を撃退することができセキュリティ性の高いるものであった。
【０００３】
【特許文献１】特開平11-341170号公報
【発明の開示】
【発明が解決しようとする課題】
【０００４】
しかしながら、従来例のテレビインターホン装置において、玄関子機で撮像された映像は、180°カメラ等の広角カメラを想定していないため通常の撮像範囲であるため居室親機に出画される範囲も狭い範囲となってしまっていた。これにより、来訪者の顔が確認できなかったり、玄関周辺にいる不審者を確認できないという問題も生じていた。
【０００５】
また、これを解消するため子機のカメラを180°カメラ等の広角カメラを用いたとしても、撮像された映像の外側は大きく歪むため画像処理を行う必要があり、子機側で画像処理したものを親機側に送信する必要がある。この場合、親機では子機から送信される画像以外を出画したい場合であっても子機側との通信が必要となり容易ではなかった。
【０００６】
本発明は、上記難点を解決するためになされたものであって、子機のカメラを180°カメラ等の広角カメラとし、画像処理を親機側でおこなうことで居住者が希望する画像を容易に出画することができるとともに、これによって玄関周辺（広範囲）を出画させることで不審者等の発見をしやすくすることができるテレビインターホン装置を提供することを目的とする。
【課題を解決するための手段】
【０００７】
本発明は上記課題を解決するためになされるものであって、本発明の第１の態様であるテレビインターホン装置は、来訪者が居住者を呼び出すための呼出ボタン、来訪者が前記居住者と通話するための子機マイク及び子機スピーカ、来訪者を撮像するカメラを有する玄関子機と、玄関子機からの呼び出しに応じて来訪者と通話するための親機マイク及び親機スピーカ、カメラで撮像された映像を出画するためのモニタを有する居室親機とから構成されるテレビインターホン装置であって、玄関子機のカメラは、180°カメラ等の広角カメラであって、玄関子機は、カメラで撮像した映像を変調する変調回路を備え、居室親機は、玄関子機からの映像を復調する復調回路と、復調された映像を出画するモニタに対応した映像信号に変換する映像処理部とを備え、映像処理部は、居室親機での操作に基づいて、カメラで撮像した範囲又はカメラで撮像した範囲のうちの一部を前記モニタに出画するための映像信号に変換することを特徴とする。
【０００８】
この発明によれば、居室親機で画像処理するため広範囲の映像と狭範囲の映像の切替を居室親機側のみで行うことができるので、玄関子機との余分な通信をしなくて済む。また、広範囲の映像を確認することができるので訪問者の映像だけでなく玄関周辺に不審者がいないかを確認することも可能となる。
【０００９】
また、本発明の第２の態様であるテレビインターホン装置は、第１の態様において、居室親機は、モニタボタンを備え、モニタボタンが操作された場合、映像処理部は、カメラで撮像した範囲の映像を出画することを特徴とする。
【００１０】
この発明によれば、モニタ時は玄関周辺の様子を確認することができ、より広範囲の映像で確認することができ好適である。
【００１１】
また、本発明の第３の態様であるテレビインターホン装置は、第１の態様において、居室親機は、モニタボタン及び画像切替ボタンを備え、映像処理部は、呼出ボタンが操作時及びモニタボタンの操作時にカメラからの映像を出画する場合は、カメラで撮像した範囲のうちの一部をモニタに出画するための映像信号に変換し、画像切替ボタンの操作時にはカメラで撮像した範囲（全ての範囲）をモニタに出画するための映像信号に変換しことを特徴とする。
【００１２】
この発明によれば、通常時は来訪者のみを確認でき、セキュリティ使用時には、広い範囲の映像を出画することができる。
【００１３】
また、本発明の第４の態様であるテレビインターホン装置は、第１乃至第３の態様において、モニタは、QVGA仕様であり、映像処理部は、カメラで撮像した映像をVGA仕様映像信号に変換し、カメラで撮像した範囲全てをモニタに出画する場合は、VGA仕様映像信号をQVGA仕様映像信号にサイズ変換し、カメラで撮像した範囲のうちの一部をモニタに出画する場合は、VGA仕様映像のうち１／４サイズを切り出してQVGA仕様映像信号することを特徴とする。
【００１４】
この発明によれば、いったんVGA用に変換しているので、QVGA仕様のモニタに出画する場合には、サイズ変換して全体の映像を出画させることも、１／４サイズを切り出して出画させることもできる。
【発明の効果】
【００１５】
本発明のテレビインターホン装置によれば、子機のカメラを180°カメラ等の広角カメラを用いて、当該広角カメラで撮像した映像の歪み補正等の画像処理を居室親機側でおこなうことで玄関子機と居室親機間の通信を簡単にするとともに、広範囲の映像と切り出した映像の双方を容易に出画することができる。これによって不審者等の発見をしやすくすることができ、セキュリティ性も向上させることが可能となる。
【発明を実施するための最良の形態】
【００１６】
以下、本発明のテレビインターホン装置を適用した最良の実施の形態例について、図面を参照して説明する。  
【００１７】
図１は、本発明のテレビインターホン装置の構成を示すシステム構成図である。  
【００１８】
図２は、図１のテレビインターホン装置のブロック図である。  
【００１９】
図２において、玄関子機１は、来訪者が居住者を呼び出すための呼出ボタン１１、来訪者が居住者と通話するための子機マイク１２、子機スピーカ１３、呼出ボタン１１の操作、または後述する居室親機２のモニタボタン２７の操作による駆動するカメラ（180°カメラ）１４、子機マイク１２及び子機スピーカ１３を用いて居室親機２と通話をおこなうための通話回路１５、カメラ１４で撮像した映像を変調するための変調回路１６、居室親機２と通信をおこなうための子機ＩＦ１７、玄関子機１の各回路を制御するための子機ＣＰＵ１８とから構成されている。  
【００２０】
さらに居室親機２は、玄関子機１のカメラ１４で撮像した映像を出画するためのモニタ２１、玄関子機１の子機マイク１２、子機スピーカ１３と通話するための親機マイク２２、親機スピーカ２３、通話回路２４、玄関子機１の変調回路１６で変調された映像を復調してモニタ２１に出画するための復調回路２５、モニタ２１に出画する映像を切り出す等の各種処理をおこなうための映像処理部２６、玄関周辺の様子を確認するためのモニタボタン２７、カメラ１４（180°カメラ）の映像をそのまま広範囲の映像としてモニタ２１に出画するか、一部を切り出して拡大映像としてモニタ２１に出画するかを切り替えるための画像切替ボタン２８、来訪者からの呼び出しに応答するための通話ボタン２９、玄関子機１と通信するための親機ＩＦ３０、居室親機２の各回路を制御するための親機ＣＰＵ３１とから構成されている。
【００２１】
このように構成されたインターホン装置について、以下、動作を説明する。
【００２２】
来訪者が玄関子機１の呼出ボタン１１を押下して来訪者を呼び出すと、子機ＣＰＵ１８及び子機ＩＦ１７を介して呼出信号が居室親機２に伝送される。居室親機２では親機ＩＦ３０を介して親機ＣＰＵ３１にて受信し、親機スピーカ２３から呼出音を鳴動させる制御をおこなう。これにより親機スピーカ２３から呼出音が鳴動する。このとき、居室親機２は玄関子機１のカメラ１４を駆動するための電源供給をおこなう（詳述せず）。これにより、玄関子機１のカメラ１４が駆動し、撮像した映像が変調回路１６で変調されて居室親機２へ伝送される。
【００２３】
居室親機２では、復調回路２５で映像を復調し、映像処理部２６は、NTSC信号を一度VGA信号に変換する。そして、本実施例のモニタがQVGA対応であるとすると、歪の少ないセンターの画像部分（１／４）を切り出して画像処理しQVGA信号に変換する。これにより、QVGA信号に変換された映像はモニタ２１で出画される。
【００２４】
このとき出画される映像は、上述のとおりカメラ１４で撮像した範囲の１／４が出画されているため来訪者を中心とした映像となる。つまり、玄関周辺を確認することができない狭範囲の映像が出画されていることになる。この映像は来訪者のみを確認する場合に適しているが、その周辺に人（不審者）がいないかを確認する場合には、出画された範囲が狭くセキュリティ性に欠ける映像となっている。
【００２５】
そこで、居住者が居室親機２の画像切替ボタン２８を操作すると、これを受けた親機ＣＰＵ３１が、映像処理部２６を制御する。
【００２６】
映像処理部２６ではNTSC信号をいったん、VGA信号に変換し、さらにサイズ変換してQVGA信号に変換してそのままモニタ２１に出画させる。この場合、モニタ２１に出画した映像は外側が大きく歪んではいるものの広範囲（カメラで撮像した範囲全て）を出画させることができるので周辺に不審者がいる場合であっても、すぐに発見することができる。
【００２７】
モニタ２１に出画された映像を確認した居住者が、居室親機２の通話ボタン２９を押下して応対すると、玄関子機１の子機マイク１２、子機スピーカ１３、通話回路１５と居室親機２の親機マイク２２、親機スピーカ２３、通話回路２４間で通話をすることができる。
【００２８】
なお、上記実施例では呼出時に狭範囲の映像を出画し、その後の切り替えで広範囲の映像（カメラで撮像した範囲全て）としているが、逆であってもよい。
【００２９】
また、居室親機２のモニタボタン２７が操作されたときには広範囲の映像（カメラで撮像した範囲全て）を出画させておくと好適である。モニタ機能の用途としては玄関周辺の様子をみることなので、より広範囲の映像（カメラで撮像した範囲全て）で確認するとよいためである。このとき画像切替ボタン２８を操作すると狭範囲の画像を確認することができるのはいうまでもない。
【図面の簡単な説明】
【００３０】
【図１】本発明の実施例によるテレビインターホン装置のシステム構成図。
【図２】本発明の実施例によるテレビインターホン装置のブロック図。
【符号の説明】
【００３１】
１                玄関子機
１１          呼出ボタン
１２          子機マイク
１３          子機スピーカ
１４          カメラ（広角カメラ）
１６          変調回路
１８          子機ＣＰＵ
２                居室親機
２１          モニタ
２２          親機マイク
２３          親機スピーカ
２５          復調回路
２６          映像処理部
３１          親機ＣＰＵ
【図１】
2009230318.tif 000003
【図２】
2009230318.tif 000004